(57)【要約】【課題】おしゃれで現代的感覚を備えると同時に、立体的効果を有するジョイントマットを提供する。【解決手段】正方形のマット１の凸型ジョイント１１を有する辺は、他のマット１の凹型ジョイント１２を有する辺に連結され、各辺の長さは等しい。各辺の凸型ジョイント１１と凹型ジョイント１２とは同じ数である。凸型ジョイント１１を有する二つの相対する辺において、いずれの凸型ジョイント１１もネック部分１１１が両辺の外に向かって突出する円弧部分１１２を有する。ネック部分１１１自身の両側は、湾弧面１１３を呈している。二つのネック部分１１１同士は、カーブ面１３によって連結されている。凹型ジョイント１２を有する二つの相対する辺において、いずれの凹型ジョイント１２も凸型ジョイント１１と同じ形状である。二つの凹型ジョイント１２のネック部分１２１の最外端はカーブ面１４を呈している。【選択図】  図２
0003169013.tif 000002
【実用新案登録請求の範囲】
【請求項１】
略正方形のマットを複数備え、
前記マットは、
各辺に凸型ジョイントまたは凹型ジョイントを有し、
前記凸型ジョイントを有する辺が、他の前記マットの前記凹型ジョイントを有する辺に連結され、
四つの各辺の長さが等しく、
前記凸型ジョイントを有する二つの辺は相対し、前記凹型ジョイントを有する二つの辺は相対し、
各辺の前記凸型ジョイントと前記凹型ジョイントとは同じ数であり、
前記凸型ジョイントを有する二つの相対する辺において、いずれの前記凸型ジョイントもネック部分が両辺の外に向かって突出する円弧部分を有し、ネック部分自体の両側は湾弧面を呈し、二つの前記凸型ジョイントのネック部分同士はカーブ面によって連結され、
前記凹型ジョイントを有する二つの相対する辺において、いずれの前記凹型ジョイントも前記凸型ジョイントと同じ形状であり、二つの前記凹型ジョイントの間のネック部分の最外端はカーブ面を呈することを特徴とするジョイントマット。
【考案の詳細な説明】
【技術分野】
【０００１】
本考案は、ジョイントマットに関し、特に、異なる面の使用が可能で、凹凸状を有するジョイントマットに関する。
【背景技術】
【０００２】
一般に市場に出回っているマットＡ（図１参照）は、いずれもその辺がＴ字型のジョイント凹部Ａ１、ジョイント凸部Ａ２のパターンから構成されており、多数の同一形状のマットＡがはめ込まれて組み合わさることで大きな面積を形成して、床に敷いて使用される。しかしながら、長年にわたり「頭の部分が大きく、体の部分が小さい」Ｔ字型のジョイント凸部Ａ２の形状は変わらない上、用途もずっと「床マット」のままであり、何ら変化がなく、単調の感が否めない。
【考案の開示】
【考案が解決しようとする課題】
【０００３】
そこで、本考案は、上述の問題に鑑みてなされたものであり、おしゃれで現代的感覚を備えると同時に、立体的効果を有するジョイントマットを提供することを目的とする。
【課題を解決するための手段】
【０００４】
上記課題を解決するために、本考案は、異なる面の使用が可能で、凹凸状を有するジョイントマットを提供する。
上記目的を達成するために、本考案のジョイントマットは、正方形のマットが、二つの相対する辺に、それぞれ同じ数量の凸型ジョイントと凹型ジョイントを有して、四つの辺を構成する。多数の同じ造型のマットを、表、裏の両面及び表面上の異なるパターンやデザインに変化をもたせて、その辺の凸型ジョイントと凹型ジョイントをはめ込んで組み合わせることで、大きな面積のマットを形成することで、床に敷いたり、壁に貼ったり、ゲームに使用したりすることが可能である。したがって、本考案のジョイントマットは、おしゃれで現代的感覚を備えると同時に、立体的効果を有する。
【０００５】
上記目的を達成するために、本考案のジョイントマットは、マットの四つの辺の長さが等しく形成されている。
上記目的を達成するために、本考案のジョイントマットは、凸型ジョイントを有する二つの相対する辺において、いずれの凸型ジョイントもジョイントのネック部分両辺が外に向かって円弧部分を有しており、さらに、ジョイントのネック部分自体の両側が湾弧面を呈している。さらに、二つのジョイントのネック部分の間はカーブ面によって連結されている。
【０００６】
上記目的を達成するために、本考案のジョイントマットは、凹型ジョイントを有する二つの相対する辺において、いずれの凹型ジョイントも凸型ジョイントと同じ形状をしており、二つの凹型ジョイントの間のジョイントのネック部分の最外端はカーブ面である。
上記構成により、本考案のジョイントマットは、おしゃれで現代的感覚を備えると同時に、立体的効果を有する。
【図面の簡単な説明】
【０００７】
【図１】従来のマットを示す図。
【図２】本考案の一実施形態によるジョイントマットのマットを示す斜視図。
【図３】本考案の一実施形態によるジョイントマットのマットを示す平面図。
【図４】本考案の一実施形態によるジョイントマットのマットの連結の仕方を示す図。
【図５】本考案の一実施形態によるジョイントマットのマットを連結した状態を示す図。
【図６】本考案の他の実施形態によるジョイントマットのマットを示す斜視図。
【図７】本考案の他の実施形態によるジョイントマットのマットを示す斜視図。
【図８】本考案の他の実施形態によるジョイントマットのマットを連結した状態を示す図。
【図９】本考案のさらに別の実施形態によるジョイントマットのマットを示す斜視図。
【図１０】本考案のさらに別の実施形態によるジョイントマットのマットを連結した状態を示す図。
【考案を実施するための形態】
【０００８】
（一実施形態）
本考案の一実施形態によるジョイントマットを、図２、図３に示す。本実施形態のジョイントマットは、異なる面の使用が可能で、凹凸状を有する。ジョイントマットは、正方形のマット１が二つの相対する辺に、それぞれ同じ数の凸型ジョイント１１と凹型ジョイント１２とを有して、四つの辺を構成する。ここで、各辺の長さは等しく、さらに、凸型ジョイント１１を有する二つの相対する辺において、いずれの凸型ジョイント１１もネック部分１１１両辺が外に向かって突出する円弧部分１１２を有し、ネック部分１１１自体の両側が湾弧面１１３を呈することで、凸型ジョイント１１が動物の頭部及び二つの耳のようなデザインのパターンを呈する。さらに、二つのジョイントのネック部分１１１は、カーブ面１３によって連結されている。凹型ジョイント１２を有する二つの相対する辺において、いずれの凹型ジョイント１２も凸型ジョイント１１と同じ形状である。さらに、二つの凹型ジョイント１２の間のジョイントのネック部分１２１の最外端はカーブ面１４である。
【０００９】
多数の同じ形状のマット１を、表、裏の両面及び表面上の異なるパターンやデザインに変化をもたせて、その辺の凸型ジョイント１１と凹型ジョイント１２が、はめ込まれて組み合わさって、大きな面積のマット（図４、図５参照）を形成することで、床に敷いたり、壁に貼ったり、ゲームに使用したりできる。このように、従来のマットＡ（図１参照）が、長年にわたり、いずれもその辺がＴ字型のジョイント凹部Ａ１、ジョイント凸部Ａ２のパターンであった状況を大きく変える。本考案の辺の形状が凸型ジョイント１１と凹型ジョイント１２とを呈することで変化をもたらし、本考案は、おしゃれで現代的感覚を備えると同時に、立体的効果を有する。
【００１０】
（他の実施形態）
本考案の他の実施形態では、マット１は、表、裏両面が異なるマットの面１Ａ、１Ｂ（図６、図７参照）及び表面上の異なる模様のパターンを有するため、組合わせて大きな面積にして使用することにより、形態上の変化が可能である。同時に、その色の組合せにより、さらに、視覚的な効果（図８参照）を表現することが可能である。またさらに、マット１の辺の凸型ジョイント１１と凹型ジョイント１２は、形成する数にも変化をもたせることが可能である（図９参照）ため、同様に大きな面積のマットとして組合わせた使用が可能である（図１０参照）。
【符号の説明】
【００１１】
１  ・・・・・マット
１１  ・・・・凸型ジョイント
１１１  ・・・ネック部分
１１２  ・・・円弧部分
１１３  ・・・湾弧面
１２  ・・・・凹型ジョイント
１２１  ・・・ネック部分
１３  ・・・・カーブ面
１４  ・・・・カーブ面
１Ａ  ・・・・マットの面
１Ｂ  ・・・・マットの面
【図１】
0003169013.tif 000003
【図２】
0003169013.tif 000004
【図３】
0003169013.tif 000005
【図４】
0003169013.tif 000006
【図５】
0003169013.tif 000007
【図６】
0003169013.tif 000008
【図７】
0003169013.tif 000009
【図８】
0003169013.tif 000010
【図９】
0003169013.tif 000011
【図１０】
0003169013.tif 000012